(57)【特許請求の範囲】
【請求項１】
内容物およびその噴射剤を収容した容器本体に対するステムの移動にともない、ステム短移動のエアゾール動作と、前記噴射剤のガス圧力低下状態での上流弁および下流弁に基づくステム長移動のポンプ動作とを個々に実行可能な内容物放出機構において、
前記容器本体に、前記内容物の通過用および貯留用の空間域として作用する態様で取り付けられたハウジングと、
前記ハウジングの内側に、静止モード位置およびこれと同様のエアゾール作動モード位置と、ポンプ作動モード位置との間で移動可能、かつ、前記ステムを収容保持する態様で配設された移動体と、
前記ステムに対する下流弁と、
前記ハウジングに対する上流弁と、を備え、
前記ステムは、
強弾性力で前記静止モード位置の方へ付勢され、
前記移動体は、
弱弾性力で前記静止モード位置の方へ付勢され、
前記ハウジングの内圧が高い場合、前記短移動の内容物放出操作のときも前記内圧の作用により前記静止モード位置に保持され、
前記ハウジングの内圧が低下した場合、前記長移動の内容物放出操作に応じて前記弱弾性力に抗しながら前記ポンプ作動モード位置へと移動する、
ことを特徴とする内容物放出機構。
【請求項２】
前記ステムの下向き面部分と前記移動体の内面部分との間に配設されて前記強弾性力を呈する強弾性部材と、
前記移動体の下向き面部分と前記ハウジングの内面部分との間に配設されて前記弱弾性力を呈する弱弾性部材と、
前記ステム，前記下流弁および前記移動体により設定されて前記内圧を呈する下流側空間域と、
前記下流側空間域と連通し、前記移動体，前記ハウジングおよび前記上流弁により設定されて前記内圧を呈する上流側空間域と、を備えている、
ことを特徴とする請求項１記載の内容物放出機構。
【請求項３】
請求項１または２に記載の内容物放出機構を備え、かつ、前記容器本体に噴射用ガスおよび内容物を収容した、
ことを特徴とするエアゾール式製品。
【発明の詳細な説明】
【技術分野】
【０００１】
本発明は、内容物およびその噴射用ガスを収容した容器本体に対するステムの移動長に応じて、ステム短移動のエアゾール動作と、ガス圧力低下状態での上流弁および下流弁に基づくステム長移動のポンプ動作とを個々に実行可能な内容物放出機構に関する。
【０００２】
特に、容器本体の内部で内容物の通過用・貯留用空間域を構成するハウジングに、静止モード位置（エアゾール作動モード位置）とポンプ作動モードの各位置との間を移動する移動体を設け、この移動体にステムを相対移動可能な形で収容保持したものである。
【０００３】
ステムは強弾性力により、また移動体は弱弾性力によりそれぞれ静止モード位置の方に付勢されている。
【０００４】
移動体は、ハウジング内圧が大きい通常のエアゾール作動モードではこの内圧により静止モード位置に付勢され、ハウジング内圧が低下すると弱弾性力で保持される。なお、エアゾール作動モードにおけるハウジング内圧は容器本体内圧ともいえる。
【０００５】
すなわち、ステムの下流弁とハウジングの上流弁との間の空間域が、移動体の、弱弾性力に抗する形での移動にともなうポンプ作動対象域となり、そこでの内圧が大きくなって上流弁を閉じ、開状態の下流弁からこの空間域の内容物が外部空間域に放出される。
【０００６】
ミスユースなどに起因するこのようなハウジング内圧の低下時に、それまでのエアゾール動作からポンプ動作へとシフトすることより、容器本体の収容内容物は外部空間域に略全量放出される。
【０００７】
なお、ミスユースとは例えば、容器本体を上下逆さの状態でエアゾール動作をした場合のように、後述のディップチューブ９の吸い込み側端部が吸い込み対象の収容内容物から外れた状態でエアゾール作動をすることにより、気相成分の噴射剤のみが外部空間に放出され容器本体の内圧の低下を招き、残りの収容内容物の放出を困難にしてしまう使用方法である。
【０００８】
特に、噴射剤として圧縮ガスを使用した製品では、気化して放出圧力となる噴射剤が液相の収容内容物に混和していないため、気相成分の噴射剤が減少した場合に、噴射する圧力を補うものがなくその低下が著しい。そのため残りの収容内容物が放出不可能となったり、また放出可能であっても噴射勢いの低下による液垂れや噴霧粒子が粗くなるなどの問題が発生しやすい。
【背景技術】
【０００９】
従来、放出操作部，ステムの移動態様にともない、噴射用ガスに基づく短移動のエアゾール動作と、噴射用ガスの圧力低下後の上流弁および下流弁に基づく長移動のポンプ動作とが個々に実行可能な内容物放出機構は、すでに提案されている（特許文献１参照）。
【先行技術文献】
【特許文献】
【００１０】
【特許文献１】特開平２０１４−９１５２７号公報
【発明の概要】
【発明が解決しようとする課題】
【００１１】
この内容物放出機構のポンプ作動対象となるハウジング内空間域は、ステム側の下流弁とハウジング内の上流弁との間であり、その容積なども下流弁形状，サイズなどに制約されてしまうという問題点があった。
【００１２】
本発明では、このポンプ作動対象のハウジング内空間域を設定する構成要素として、静止モード位置とポンプ作動モード位置との間を移動可能でステムおよびステム側の下流弁が収容保持される移動体を、ハウジング内側に設けている。
【００１３】
この移動体の配設により、ポンプ作動対象となるハウジング内空間域をステム側の下流弁とはいわば独立した形の任意態様で設定し、噴射用ガスの圧力低下後の上流弁および下流弁に基づくステム長移動のポンプ動作の多様化，確実化を図ることを目的とする。
【００１４】
また、噴射用ガスに基づくステム短移動のエアゾール動作、および噴射用ガスの圧力低下後の上流弁，下流弁に基づくステム長移動のポンプ動作が個々に実行可能な内容物放出機構としての、一層の利便化を図ることを目的とする。
【課題を解決するための手段】
【００１５】
本発明は、以上の課題を次のようにして解決する。
（１）内容物およびその噴射剤を収容した容器本体(例えば後述の容器本体１)に対するステム(例えば後述のステム２)の移動にともない、ステム短移動のエアゾール動作と、前記噴射剤のガス圧力低下状態での上流弁および下流弁に基づくステム長移動のポンプ動作とを個々に実行可能な内容物放出機構において、
前記容器本体に、前記内容物の通過用および貯留用の空間域として作用する態様で取り付けられたハウジング（例えば後述のハウジング６）と、
前記ハウジングの内側に、静止モード位置およびこれと同様のエアゾール作動モード位置と、ポンプ作動モード位置との間で移動可能、かつ、前記ステムを収容保持する態様で配設された移動体（例えば後述の移動体５）と、
前記ステムに対する下流弁（例えば後述のステムラバー５ａ）と、
前記ハウジングに対する上流弁（例えば後述のボール弁８）と、を備え、
前記ステムは、
強弾性力（例えば後述の下流側コイルスプリング５ｄの弾性力）で前記静止モード位置の方へ付勢され、
前記移動体は、
弱弾性力（例えば後述の上流側コイルスプリング６ｅの弾性力）で前記静止モード位置の方へ付勢され、
前記ハウジングの内圧が高い場合、前記ステム短移動の内容物放出操作のときも前記内圧の作用により前記静止モード位置に保持され、
前記ハウジングの内圧が低下した場合、前記ステム長移動の内容物放出操作に応じて前記弱弾性力に抗しながら前記ポンプ作動モード位置へと移動する、
構成態様のものを用いる。
（２）上記（１）において、
前記ステムの下向き面部分と前記移動体の内面部分との間に配設されて前記強弾性力を呈する強弾性部材（例えば後述の下流側コイルスプリング５ｄ）と、
前記移動体の下向き面部分と前記ハウジングの内面部分との間に配設されて前記弱弾性力を呈する弱弾性部材（例えば後述の上流側コイルスプリング６ｅ）と、
前記ステム，前記下流弁および前記移動体により設定されて前記内圧を呈する下流側空間域（例えば後述の下流側空間域Ｓ２）と、
前記下流側空間域と連通し、前記移動体，前記ハウジングおよび前記上流弁により設定されて前記内圧を呈する上流側空間域（例えば後述の上流側空間域Ｓ１）と、を備えた、
構成態様のものを用いる。
【００１６】
このような構成からなる内容物放出機構およびこの内容物放出機構を備えたエアゾール式製品を発明の対象としている。
【発明の効果】
【００１７】
本発明は、以上の構成をとることにより、ハウジング内圧低下後のエアゾール動作に代替するポンプ動作の多様化，確実化を図り、エアゾール作動モードからポンプ作動モードへの移行機能を備えた内容物放出機構としての一層の利便化を図ることができる。
【図面の簡単な説明】
【００１８】
【図１】内容物放出機構の静止モードを示す説明図である。
【図２】図１の内容物放出機構のエアゾール作動モードを示す説明図である。
【図３】図１の内容物放出機構のポンプ作動モードを示す説明図である。
【発明を実施するための形態】
【００１９】
図１〜図３を用いて本発明の実施するための最良の形態を説明する。
【００２０】
本発明の内容物放出機構は、本来のエアゾール作動に加え、噴射用ガス圧力が低下した場合のポンプ作動も実行できる、といったいわばハイブリッド作動を前提とする。
【００２１】
本発明では、ミスユースなどのためエアゾール作動の容器本体の噴射用ガス圧力が下がった場合にも、このハイブリッド作動により収容内容物の略全量が外部空間域に放出されるようにしている。
【００２２】
各図で用いるアルファベット付き参照番号の構成要素（例えば環凹状部１ａ）は原則として、この参照番号の数字部分の構成要素（例えば容器本体１）の一部であることを示している。
【００２３】
図１〜図３において、
１は後述する各種の内容物および噴射剤を収容した上開口の容器本体，
１ａはその上端側外周面に形成されたアンダーカット態様の環凹状部，
２は周知の押下げボタンやトリガレバーなどの内容物放出操作部（図示省略）に取り付けられて上下方向に連動し、放出内容物の通過作用やバルブ作用を呈するステム，
２ａは外部空間域へ放出される内容物などが通過する内部通路域，
２ｂはエアゾール作動モードおよびポンプ作動モードの内部通路域２ａへの内容物流入部として作用し、後述のステムラバー５ａとともに弁作用を呈する下流側孔部，
２ｃはその下端側周回縁部に形成されて後述の下流側コイルスプリング５ｄの上端部分を受ける下向き環状段部，
をそれぞれ示している。
【００２４】
３は後述のステムラバー５ａおよびステム２を収容保持した状態で後述のシール作用部４に取り付けられて、後述の下流側空間域Ｓ２を形成する上下動可能な上開口鞘状のステム収容可動部，
３ａはその上端側に形成されて後述のシール作用部４を嵌合状態で固定する大径筒状部，
３ｂは大径筒状部３ａの内側段部の内端側に形成されて後述のステムラバー５ａを挟持する上向き環凸状部分，
３ｃはその周面部分に形成された内容物通過用の上流側孔部，
３ｄはその内周面縦方向部分および底面外側環状部分に周方向飛び飛びの態様で形成された計６個のＬ字リブ状部，
をそれぞれ示している。
【００２５】
また、
４は大径筒状部３ａの外周面などと嵌合して後述のハウジング６の内周面とのシール作用を呈する筒状で上下動可能な下側大開口のシール作用部，
４ａはその上端部分に形成されて大径筒状部３ａの上端面と対向当接する環天井部分，
４ｂはその内周面上側部分に周方向飛び飛びの態様で形成されたステム収容可動部嵌合用の計８個の縦リブ状部，
４ｃはその内周面下側部分に形成されて後述の上流側コイルスプリング６ｅを受ける下向き環状段部，
４ｄはその外周面に形成されて図１の静止モードおよび図２のエアゾール作動モードのときに後述の環状底面７ｂに当接して保持される上向き環状段部，
４ｅはその外周面に形成されて後述の上Ｏリング５ｂが配設される上環凹状部，
４ｆはその外周面に形成されて後述の下Ｏリング５ｃが配設される下環凹状部，
をそれぞれ示している。
【００２６】
また、
５はステム収容可動部３とシール作用部４との一体物であって、静止モード，エアゾール作動モードではハウジング内圧と上流側コイルスプリング６ｅの弾性力を受けて初期位置にとどまり、内圧低下のポンプ作動モードではこの弾性力に抗しながら下動する移動体，
５ａは静止モードのときにステム２の下流側孔部２ｂを閉塞する態様で、ステム収容可動部３の上向き環凸状部分３ｂとシール作用部４の環天井部分４ａとに挟持されたシール作動用で環状のステムラバー，
５ｂはシール作用部４の上環凹状部４ｅに配設されて、静止モードおよびエアゾール作動モードにおける後述の外気流入用孔部６ｆと外部空間域との間のシール作用を呈する上Ｏリング，
５ｃはシール作用部４の下環凹状部４ｆに配設されて後述の上流側空間域Ｓ１対応のシール作用を呈する下Ｏリング，
５ｄはステム２の下向き環状段部２ｃと、ステム収容可動部３のＬ字リブ状部３ｄの底面側部分との間に配設されてステム２を上方向に付勢する下流側コイルスプリング，
をそれぞれ示している。
【００２７】
また、
６は移動体５を上下動可能な形で収容保持して後述の上流側空間域Ｓ１を形成する筒状で上側大開口のハウジング，
６ａはその上端部分に形成された外向きの環鍔状部，
６ｂはその底面中央部分に形成されて下端側内周面に後述のディップチューブ９が取り付けられる垂下筒状部，
６ｃはそれぞれが垂下筒状部６ｂの上端側内面からハウジング内底面に連続してハウジング周方向飛び飛びの態様で複数形成され、後述のボール弁８の上限移動位置を特定するための環凸状部分を内ガイド面上端に持つＬ字リブ状部，
６ｄはＬ字リブ状部６ｃの下側内周面（垂下筒状部６ｂの内周面）に形成されて、後述のボール弁８との間で、ポンプ作動モードにおける上流弁作用を呈する内側下がりの内向き環状テーパ部，
６ｅはシール作用部４の下向き環状段部４ｃとハウジング６の内底面との間に配設されてこのシール作用部（移動体５）を上方向に付勢する上流側コイルスプリング，
６ｆはポンプ作動モードにおいて外部空間域と連通する容器本体内部空間域の減圧防止用の外気流入用孔部，
をそれぞれ示している。
【００２８】
また、
７は容器本体１の環凹状部１ａに嵌合保持されてハウジング６の環鍔状部６ａを容器本体上端側に挟持する形の環状カップ，
７ａはその下端部分であって環凹状部１ａと嵌合状態の内向き環凸状部，
７ｂはその内端部分に形成されて静止モードおよびエアゾール作動モードの移動体５（シール作用部４）の上向き環状段部４ｄを当接保持する環状底面，
７ｃは環状底面７ｂの内端部分から上方に連続してシール作用部４の上下動を案内する起立筒状部，
７ｄは容器本体１の上端部分とハウジング６の環鍔状部６ａとの間に配設されてシール作用を呈する環状パッキン，
８は静止モードおよびステム下動のポンプ作動モードのときハウジング６の内向き環状テーパ部６ｄに当接して上流弁作用を呈するボール弁，
９はハウジング６の垂下筒状部６ｂの内周面に嵌合して容器本体１の内容物が流入するディップチューブ，
をそれぞれ示している。
【００２９】
また、
Ｓ１はディップチューブ９と連通する形で、移動体５およびハウジング６の間に設定される内容物通過・貯留用の上流側空間域，
Ｓ２は上流側空間域Ｓ１と連通する形で、ステム収容可動部３およびステム２の間に設定される内容物通過・貯留用の下流側空間域，
ｆ１はエアゾール作動モードにおける内容物の放出経路，
ｆ２はポンプ作動モードにおける内容物の放出経路，
をそれぞれ示している。
【００３０】
以上の各構成要素の中、ステム２，ステム収容可動部３，シール作用部４，ハウジング６およびディップチューブ９はプラスチック製のもので、例えばポリプロピレン，ポリエチレン，ポリアセタール，ナイロン，ポリブチレンテレフタレートなどからなる
【００３１】
容器本体１，下流側コイルスプリング５ｄ，上流側コイルスプリング６ｅ，環状カップ７およびボール弁８はプラスチック製または金属製のものである。
【００３２】
また、ステムラバー５ａはゴム製のもの、環状パッキン７ｄはゴム製またはプラスチック製のものである。ここでゴム製のステムラバー５ａに代えてプラスチック製のステムシール部材を用いてもよい。
【００３３】
なお、下流側コイルスプリング５ｄおよび上流側コイルスプリング６ｅそれぞれの上方向への弾性力は、上流側コイルスプリング６ｅの方が小さく設定されている。
【００３４】
図１の内容物放出機構で噴射剤「なし」のいわば仮想設定の下、ステム２を下動させると、少なくともその初期段階では小弾性力の上流側コイルスプリング６ｅのみが縮み、ステム２および移動体５は全体として静止モードの位置関係のまま下動する。
【００３５】
そして、この下動にともない、移動体５とハウジング６との間の上流側空間域Ｓ１の容積が減少してそこでの内圧が増加する。
【００３６】
この内圧増加にともない移動体５が上流側コイルスプリング６ｅからとは別の上方向への力を受け、これにより移動体５は下動せずにステム２のみが下動して、その下流側孔部２ｂがステムラバー５ａとの閉状態から開状態へと解放される。
【００３７】
この下流側孔部２ｂの開状態への移行にともなって図３のポンプ作動モードの放出経路ｆ２が設定される。
【００３８】
ここでのステム２，移動体５，下流側コイルスプリング５ｄ，上流側コイルスプリング６ｅおよび上流側空間域Ｓ１などの関連動作説明が、図示内容物放出機構のポンプ作動モードの原理的な基本構成といえる。
【００３９】
なお、噴射用ガス圧力が十分に大きなエアゾール作動モードの場合は概略、移動体５は、上流側空間域Ｓ１の大きな内圧（噴射用ガス圧力）による図示上方向の力を受けて静止モード位置に保持される。
【００４０】
すなわち、移動体５は図１の静止モード位置に保持されたままであり、その構成要素であるステム収容可動部３に対してステム２が下動するといった周知のエアゾール作動状態に設定される。
【００４１】
図１の静止モードでは、
(11)上流側コイルスプリング６ｅの弾性作用および上流側空間域Ｓ１の内圧作用により、移動体５が、最上動位置にてその上向き環状段部４ｄと環状カップ７の環状底面７ｂとの当接保持状態に設定され、
(12)下流側コイルスプリング５ｄの弾性作用および下流側空間域Ｓ２の内圧作用により、ステム２が、最上動位置にてその下流側孔部２ｂとステムラバー５ａとの当接閉状態に設定され、
(13)ボール弁８が、その自重などによりハウジング６の内向き環状テーパ部６ｄに密接している。
【００４２】
図２の、ステム２が、内容物放出操作に応じて下流側コイルスプリング５ｄの弾性力に抗しながら下動したエアゾール作動モードでは、上述のように、
(21)上方への、上流側コイルスプリング６ｅの弾性作用および上流側空間域Ｓ１の内圧作用を受ける移動体５は、静止モード位置のままに保持され、
(22)外部空間域にいたるステム２の内部通路域２ａと、ステム収容可動部３の下流側空間域Ｓ２とが開状態の下流側孔部２ｂを介して連通し、
(23)この外部空間域と下流側空間域Ｓ２の連通作用にともない、ボール弁８はディップチューブ９の通路域側からトータル上方向への内圧を受けて上動し、
(24)このボール弁８の上動によりエアゾール作動モードの放出経路ｆ１が確立する。
【００４３】
放出経路ｆ１は、「ディップチューブ９−内向き環状テーパ部６ｄで設定される中央開口域−隣同士のＬ字リブ状部６ｃの間に設定される溝状部−上流側空間域Ｓ１−上流側孔部３ｃ−下流側空間域Ｓ２−下流側孔部２ｂ−ステム２の内部通路域２ａ」となる。
【００４４】
エアゾール作動モードで移動体５が下方にシフトしないのは、上流側空間域Ｓ１の十分に大きい内圧作用によってこの移動体を押し上げているからである。
【００４５】
図示の内容物放出機構の検証によれば、移動体５を静止モード位置に保持したままの図２のエアゾール作動モードが設定されえるのは、上流側空間域Ｓ１での内圧が１kgf／cm2〜８kgf／cm2のときであった。
【００４６】
検証状態では、上流側空間域Ｓ１の直径を15mmとして、１kgf／cm2の内圧で1.76kgf相当の上方への力が移動体５にかかることになる。ここで、下流側コイルスプリング５ｄには弾性力が0.7kgfのものを用い、上流側コイルスプリング６ｅには弾性力が0.4kgfのものを用いた。上流側空間域Ｓ１の内圧が１kgf／cm2の場合の移動体５が受ける上方への付勢力は2.18kgf(=1.76kgf+0.4kgf)となり、エアゾール作動モードでのステム２の最大押し下げ力である約2kgfを若干上回る。
【００４７】
ここで、放出機構のミスユースや内容物放出動作の累積などにより容器本体１（上流側空間域Ｓ１）の内圧が１kgf／cm2以下になると、この内圧の移動体押上げ力も十分に減少し、エアゾール作動モードのステム２についてのさらなる下動操作が可能となる。
【００４８】
すなわち、周知の内容物放出操作部材（図示省略）の、図２のエアゾール作動モードの設定位置から図３のポンプ作動モードの設定位置までのストロークが可能となる。
【００４９】
図３の、このストロークに基づくポンプ作動モードの内容物放出機構は、下流側孔部２ｂおよびステムラバー５ａの下流弁（吐出弁）、ならびに内向き環状テーパ部６ｄおよびボール弁８の上流弁（吸込弁）を備えたポンプ機構と同様に作動する。
【００５０】
すなわち、
(31)弱弾性力の上流側コイルスプリング６ｅに保持された移動体５は、その押上げ力のいわば源泉である容器本体１（上流側空間域Ｓ１）の内圧が減少した状態において、ステム２とリンクする形で下動し、
(32)この下動により上流側空間域Ｓ１の容積が減少してそこでの内圧が増加し、
(33)この内圧増加にともない、ボール弁８が押し下げられて上流弁「閉」に設定され、かつ移動体５の下動にいわばブレーキがかかってステム２のみが下動し、
(34)このステム２のみの下動により確実に下流弁「開」となり、
(35)内圧増加の上流側空間域Ｓ１および下流側空間域Ｓ２の内容物が下流弁を経てステム２の内部通路域２ａから外部空間域に放出される。
【００５１】
このときの放出経路ｆ２は、「上流側空間域Ｓ１−上流側孔部３ｃ−下流側空間域Ｓ２−下流側孔部２ｂ−ステム２の内部通路域２ａ」となる。
【００５２】
押下げボタン(図示省略)の押圧操作などの内容物放出操作を終えると、図２のエアゾール作動モードおよび図３のポンプ作動モードの内容物放出機構は、下流側コイルスプリング５ｄや上流側コイルスプリング６ｅの弾性力により、図１の静止モードに復帰する。
【００５３】
図２のエアゾール作動モードの設定操作を終えると、ステム２が下流側コイルスプリング５ｄの弾性作用でその初期位置に復帰する。
【００５４】
図３のポンプ作動モードの設定操作を終えると、ステム２が下流側コイルスプリング５ｄの弾性作用でその初期位置に復帰し、かつ、移動体５が上流側コイルスプリング６ｅの弾性作用でその初期位置に復帰する。
【００５５】
このポンプ作動設定操作の解除にともないステム２および移動体５が上動してその初期位置（静止モード）に復帰するとき、
(41)上流側空間域Ｓ１および下流側空間域Ｓ２それぞれの容積が増加して、そこでの内圧が容器本体１の内部空間域のそれよりも減少し、
(42)この内圧減少にともない、ボール弁８が内向き環状テーパ部６ｄから離間して上流弁（吸込弁）開状態に設定され、
(43)容器本体１の内容物がディップチューブ９を介して上流側空間域Ｓ１および下流側空間域Ｓ２の方へ流入し、
(44)この内容物流入にともない上流側空間域Ｓ１および下流側空間域Ｓ２の内圧が増加して、概略、ボール弁８に作用する下方向のハウジング内圧および自重の合計が、同じくボール弁８に作用する上方向の容器本体内圧よりも大きくなった段階で上流弁が閉じ、
(45)この上流弁の閉作用で内容物放出機構は図１の静止モードに移行する。
【００５６】
なお、上記(43)で上流側空間域Ｓ１および下流側空間域Ｓ２に流入した内容物が次回のポンプ作動における放出対象物となる。
【００５７】
図３のポンプ作動モードにおいて、容器本体１の収容内容物が外部空間域に放出されることにともなう容器本体内部空間域の減圧状態は、外気流入用孔部６ｆから容器本体１への外気供給により回復する。
【００５８】
図示の内容物放出機構は、内容物放出操作にともなうステム移動長さの違いにより、噴射用ガスに基づく短移動のエアゾール動作と、噴射用ガス圧力の低下後の上流弁（ボール弁）および下流弁に基づく長移動のポンプ動作と、を個々に実行しえるものである。
【００５９】
本発明が以上の実施形態に限定されないこと勿論であり、例えば、
(51)ステム２を駆動する操作部として、押下げボタンやトリガレバーなどの各種タイプの操作部を用いる、
(52)ステムラバー５ａに代えてその全体が移動する弁部材、例えば上記特許文献で開示の弁部材を用いる、
(53)上Ｏリング５ｂや下Ｏリング５ｃに代えて、樹脂成形によるシール部材を用いる、
(54)上Ｏリング５ｂと下Ｏリング５ｃとを一体化したシール部材にする、
(55)シール作用部４，上Ｏリング５ｂおよび下Ｏリング５ｃを一体化する、
ようにしてもよい。
【００６０】
本発明が適用される製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６１】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。
【００６３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６６】
高分子化合物としては、メチルセルロース，ゼラチン，デンプン，カゼイン，ヒドロキシエチルセルロース，キサンタンガム，カルボキシビニルポリマーなどを用いる。
【００６７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６８】
さらに、上記内容物以外の、懸濁剤，紫外線吸収剤，乳化剤，保湿剤，酸化防止剤、金属イオン封鎖剤なども用いることができる。
【００６９】
エアゾール式製品における噴射剤としては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７０】
１：容器本体
１ａ：環凹状部
２：ステム
２ａ：内部通路域
２ｂ：下流側孔部
２ｃ：下向き環状段部
【００７１】
３：ステム収容可動部
３ａ：大径筒状部
３ｂ：上向き環凸状部分
３ｃ：上流側孔部
３ｄ：Ｌ字リブ状部
【００７２】
４：シール作用部
４ａ：環天井部分
４ｂ：縦リブ状部
４ｃ：下向き環状段部
４ｄ：上向き環状段部
４ｅ：上環凹状部
４ｆ：下環凹状部
【００７３】
５：移動体（ステム収容可動部３＋シール作用部４）
５ａ：ステムラバー
５ｂ：上Ｏリング
５ｃ：下Ｏリング
５ｄ：下流側コイルスプリング
【００７４】
６：ハウジング
６ａ：環鍔状部
６ｂ：垂下筒状部
６ｃ：Ｌ字リブ状部
６ｄ：内向き環状テーパ部
６ｅ：上流側コイルスプリング
６ｆ：外気流入用孔部
【００７５】
７：環状カップ
７ａ：内向き環凸状部
７ｂ：環状底面
７ｃ：起立筒状部
７ｄ：環状パッキン
８：ボール弁
９：ディップチューブ
【００７６】
Ｓ１：上流側空間域
Ｓ２：下流側空間域
ｆ１：エアゾール作動モードの放出経路
ｆ２：ポンプ作動モードの放出経路
【図１】
0006671760.tif 000002
【図２】
0006671760.tif 000003
【図３】
0006671760.tif 000004